(57)【特許請求の範囲】
【請求項１】
媒体を所定の搬送経路に沿って搬送する搬送部と、
前記媒体の状態を鑑別する鑑別部と、
前記鑑別部による鑑別結果を基に前記媒体の真偽を判定する判定部と、
前記判定部による判定結果を含む、前記媒体に関する情報である媒体情報を記憶する記憶部と、
前記鑑別部により鑑別された前記媒体を一時的に収納し、繰り出す一時保留部と、
前記判定部により偽造されたと判定された前記媒体を、前記判定部により正当と判定された他の前記媒体と区別して収納する偽造媒体収納庫と、
前記搬送経路上に設けられ前記媒体における詰まり、２枚以上の連なり又は大幅な傾斜等の搬送状態の変化を検出する検出部と、
前記一時保留部から繰り出された前記媒体の前記搬送状態の変化を前記検出部により検出した場合、前記搬送部により当該媒体を前記一時保留部へ戻して再度収納させると共に、当該媒体の前記媒体情報を当該搬送状態の変化に応じて更新する更新部と、
前記一時保留部に収納されている前記媒体のうち、前記判定部において偽造されたと判定されていた前記媒体を、前記媒体情報のうち前記更新部により更新された内容に拘わらず前記偽造媒体収納庫へ搬送させ、他の前記媒体を、更新された前記媒体情報に基づいた搬送先へ搬送させるよう制御する搬送制御部と
を具えることを特徴とする媒体処理装置。
【請求項２】
前記記憶部は、前記判定部により前記媒体が偽造されたと判定された場合、前記媒体情報の一部として、当該媒体を他の前記媒体と区別するための区別情報を記憶し、
前記搬送制御部は、前記媒体について前記区別情報が記憶されていた場合、当該媒体を前記偽造媒体収納庫へ搬送させ、それ以外の場合、当該媒体を前記媒体情報に基づいた搬送先へ搬送させるよう制御する
ことを特徴とする請求項１に記載の媒体処理装置。
【請求項３】
前記媒体は、一意の識別符号が付され、
前記鑑別部は、前記媒体から前記識別符号を読み取り、
前記記憶部は、前記区別情報として前記識別符号を記憶する
ことを特徴とする請求項２に記載の媒体処理装置。
【請求項４】
前記記憶部は、前記判定部による最初の判定結果である第１判定結果と、前記更新部により更新された判定結果である第２判定結果との双方を記憶し、
前記搬送制御部は、前記媒体の前記第１判定結果により前記媒体が偽造されていたことを表していた場合、当該第１判定結果を基に当該媒体を前記偽造媒体収納庫へ搬送させ、それ以外の場合、当該媒体を前記第２判定結果に基づいた搬送先へ搬送させるよう制御する
ことを特徴とする請求項１に記載の媒体処理装置。
【請求項５】
前記搬送制御部は、前記媒体を前記一時保留部から繰り出させる際の繰出動作を、当該媒体と対応付けて前記記憶部に記憶されている前記媒体情報に応じて変化させる
ことを特徴とする請求項１に記載の媒体処理装置。
【請求項６】
取引すべき媒体を投入させる媒体投入部と、
前記媒体を所定の搬送経路に沿って搬送する搬送部と、
前記媒体の状態を鑑別する鑑別部と、
前記鑑別部による鑑別結果を基に前記媒体の真偽を判定する判定部と、
前記判定部による判定結果を含む、前記媒体に関する情報である媒体情報を記憶する記憶部と、
前記鑑別部により鑑別された前記媒体を一時的に収納し、繰り出す一時保留部と、
前記判定部により偽造されたと判定された前記媒体を、前記判定部により正当と判定された他の前記媒体と区別して収納する偽造媒体収納庫と、
前記搬送経路上に設けられ前記媒体における詰まり、２枚以上の連なり又は大幅な傾斜等の搬送状態の変化を検出する検出部と、
前記一時保留部から繰り出された前記媒体の前記搬送状態の変化を前記検出部により検出した場合、前記搬送部により当該媒体を前記一時保留部へ戻して再度収納させると共に、当該媒体の前記媒体情報を当該搬送状態の変化に応じて更新する更新部と、
前記一時保留部に収納されている前記媒体のうち、前記判定部において偽造されたと判定されていた前記媒体を、前記媒体情報のうち前記更新部により更新された内容に拘わらず前記偽造媒体収納庫へ搬送させ、他の前記媒体を、更新された前記媒体情報に基づいた搬送先へ搬送させるよう制御する搬送制御部と
を具えることを特徴とする媒体取引装置。
【請求項７】
媒体を所定の搬送経路に沿って搬送する搬送部と、
前記媒体の状態を鑑別する鑑別部と、
前記鑑別部による鑑別結果を基に前記媒体の真偽を判定する判定部と、
前記判定部による判定結果を含む、前記媒体に関する情報である媒体情報を記憶すると共に、前記搬送経路上において前記媒体の搬送状態が変化した場合、前記媒体情報の一部として、当該媒体について搬送状態が変化したことを表す搬送状態変化情報を記憶する記憶部と、
前記鑑別部により鑑別された前記媒体を一時的に収納し、繰り出す一時保留部と、
前記判定部により偽造されたと判定された前記媒体を、前記判定部により正当と判定された他の前記媒体と区別して収納する偽造媒体収納庫と、
前記搬送経路上に設けられ前記媒体における詰まり、２枚以上の連なり又は大幅な傾斜等の搬送状態の変化を検出する検出部と、
前記一時保留部から繰り出された前記媒体の前記搬送状態の変化を前記検出部により検出した場合、前記搬送部により当該媒体を前記一時保留部へ戻して再度収納させると共に、前記記憶部に当該媒体と対応付けて前記搬送状態変化情報を記憶させる更新部と、
前記一時保留部に収納されている前記媒体を前記媒体情報に基づいた搬送先へ搬送させ、且つ前記一時保留部に収納されている前記媒体のうち前記搬送状態変化情報が記憶されている前記媒体を前記一時保留部から繰り出させる際の繰出動作を、他の前記媒体の繰出動作と相違させるよう制御する搬送制御部と
を具えることを特徴とする媒体処理装置。
【発明の詳細な説明】
【技術分野】
【０００１】
本発明は媒体処理装置及び媒体取引装置に関し、例えば利用者との間で紙幣等の媒体を介して所望の取引を行う現金自動預払機（ＡＴＭ：Automatic Teller Machine）に適用して好適なものである。
【背景技術】
【０００２】
従来、金融機関等で使用される現金自動預払機等においては、顧客との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣を鑑別する鑑別部と、投入された紙幣を一時的に保留する一時保留部と、紙幣を金種ごとに格納する紙幣収納庫と、全体を制御する制御部等とを有するものが提案されている（例えば、特許文献１参照）。また現金自動預払機としては、損傷の程度が大きいリジェクト紙幣を収納するリジェクト庫と、偽造された紙幣（いわゆる偽造券若しくは偽券）を収納する偽券収納庫とを有するものもある。
【０００４】
この現金自動預払機は、入金取引において、利用者により入出金部へ投入された紙幣を１枚ずつに分離して取り込み、搬送部により鑑別部へ搬送して鑑別させ、その鑑別結果を制御部に通知すると共に、当該紙幣を一時保留部へ搬送して収納させる。このとき制御部は、紙幣の金種、真偽及び損傷の程度等を判定し、当該紙幣を複数のカテゴリに分類して当該カテゴリを紙幣毎に記憶する。ここでカテゴリによる分類としては、例えば「再利用可能」、「再利用不可能」、「偽券」及び「紙幣以外」等がある。
【０００５】
その後現金自動預払機は、一時保留部から繰り出した各紙幣を、記憶しているカテゴリに基づいて搬送し、収納させる。例えば現金自動預払機は、再利用可能な紙幣を金種毎に紙幣収納庫に収納させ、再利用すべきで無いリジェクト紙幣をリジェクト庫に収納させ、偽券を偽券収納庫に収納させる。
【先行技術文献】
【特許文献】
【０００６】
【特許文献１】特開２０１１−１１３４７２号公報
【発明の概要】
【発明が解決しようとする課題】
【０００７】
ところで、かかる構成の現金自動預払機では、搬送部による紙幣の搬送中に紙幣の詰まりが発生することがある。そこで現金自動預払機のなかには、搬送部の搬送経路上に紙幣の詰まりを検出するセンサを配置したものがある。
【０００８】
この現金自動預払機では、例えば入金取引において一時保留部に保留していた紙幣を紙幣収納庫等へ搬送する途中で紙幣の詰まりが発生した場合、当該紙幣の搬送を停止した上で逆送させ、一時保留部に再度収納する。このとき現金自動預払機は、紙幣の詰まりが発生したこと、すなわち搬送状態が変化したことに応じて、当該紙幣のカテゴリを例えば「紙幣以外」に更新してリジェクト庫へ搬送する等、他の紙幣と区別するようになっている。
【０００９】
しかしながらこの現金自動預払機では、先に偽券と判定された紙幣に詰まりが発生した場合、そのカテゴリが「紙幣以外」に更新されてしまうため、偽券収納庫へ搬送して収納することができない、という問題があった。
【００１０】
本発明は以上の点を考慮してなされたもので、偽造された媒体を搬送状態に拘わらず他の正当な媒体から区別して管理し得る媒体処理装置及び媒体取引装置を提案しようとするものである。
【課題を解決するための手段】
【００１１】
かかる課題を解決するため本発明の媒体処理装置においては、媒体を所定の搬送経路に沿って搬送する搬送部と、媒体の状態を鑑別する鑑別部と、鑑別部による鑑別結果を基に媒体の真偽を判定する判定部と、判定部による判定結果を含む、媒体に関する情報である媒体情報を記憶する記憶部と、鑑別部により鑑別された媒体を一時的に収納し、繰り出す一時保留部と、判定部により偽造されたと判定された媒体を、判定部により正当と判定された他の媒体と区別して収納する偽造媒体収納庫と、搬送経路上に設けられ媒体における詰まり、２枚以上の連なり又は大幅な傾斜等の搬送状態の変化を検出する検出部と、一時保留部から繰り出された媒体の搬送状態の変化を検出部により検出した場合、搬送部により当該媒体を一時保留部へ戻して再度収納させると共に、当該媒体の媒体情報を当該搬送状態の変化に応じて更新する更新部と、一時保留部に収納されている媒体のうち、判定部において偽造されたと判定されていた媒体を、更新部により更新された判定結果に拘わらず偽造媒体収納庫へ搬送させ、他の媒体を、更新された判定結果に基づいた搬送先へ搬送させるよう制御する搬送制御部とを設けるようにした。
【００１２】
また本発明の媒体取引装置においては、取引すべき媒体を投入させる媒体投入部と、媒体を所定の搬送経路に沿って搬送する搬送部と、媒体の状態を鑑別する鑑別部と、鑑別部による鑑別結果を基に媒体の真偽を判定する判定部と、判定部による判定結果を含む、媒体に関する情報である媒体情報を記憶する記憶部と、鑑別部により鑑別された媒体を一時的に収納し、繰り出す一時保留部と、判定部により偽造されたと判定された媒体を、判定部により正当と判定された他の媒体と区別して収納する偽造媒体収納庫と、搬送経路上に設けられ媒体における詰まり、２枚以上の連なり又は大幅な傾斜等の搬送状態の変化を検出する検出部と、一時保留部から繰り出された媒体の搬送状態の変化を検出部により検出した場合、搬送部により当該媒体を一時保留部へ戻して再度収納させると共に、当該媒体の媒体情報を当該搬送状態の変化に応じて更新する更新部と、一時保留部に収納されている媒体のうち、判定部において偽造されたと判定されていた媒体を、更新部により更新された媒体情報に拘わらず偽造媒体収納庫へ搬送させ、他の媒体を、更新された判定結果に基づいた搬送先へ搬送させるよう制御する搬送制御部とを設けるようにした。
さらに本発明の媒体処理装置においては、媒体を所定の搬送経路に沿って搬送する搬送部と、媒体の状態を鑑別する鑑別部と、鑑別部による鑑別結果を基に媒体の真偽を判定する判定部と、判定部による判定結果を含む、媒体に関する情報である媒体情報を記憶すると共に、搬送経路上において媒体の搬送状態が変化した場合、媒体情報の一部として、当該媒体について搬送状態が変化したことを表す搬送状態変化情報を記憶する記憶部と、鑑別部により鑑別された媒体を一時的に収納し、繰り出す一時保留部と、判定部により偽造されたと判定された媒体を、判定部により正当と判定された他の媒体と区別して収納する偽造媒体収納庫と、搬送経路上に設けられ媒体における詰まり、２枚以上の連なり又は大幅な傾斜等の搬送状態の変化を検出する検出部と、一時保留部から繰り出された媒体の搬送状態の変化を検出部により検出した場合、搬送部により当該媒体を一時保留部へ戻して再度収納させると共に、記憶部に当該媒体と対応付けて搬送状態変化情報を記憶させる更新部と、一時保留部に収納されている媒体を媒体情報に基づいた搬送先へ搬送させ、且つ一時保留部に収納されている媒体のうち搬送状態変化情報が記憶されている媒体を一時保留部から繰り出させる際の繰出動作を、他の媒体の繰出動作と相違させるよう制御する搬送制御部とを設けるようにした。
【００１３】
これにより、搬送路上で媒体の詰まり、２枚以上の連なり又は大幅な傾斜等の搬送状態の変化が発生した場合には、媒体の媒体情報を更新することで、搬送状態が変化したことに応じた処理を行うことができ、媒体の搬送先を決定する場合には、搬送状態の変化に起因した媒体情報の更新の影響を受けること無く、偽造された媒体を他の正当な媒体と区別して偽造媒体収納庫へ搬送することができる。
【発明の効果】
【００１４】
本発明は、偽造された媒体を搬送状態に拘わらず他の正当な媒体から区別して管理し得る媒体処理装置及び媒体取引装置を実現できる。
【図面の簡単な説明】
【００１５】
【図１】現金自動預払機の構成を示す略線的斜視図である。
【図２】紙幣入出金機の構成を示す略線図である。
【図３】現金自動預払機及び紙幣入出金機のブロック構成を示すブロック図である。
【図４】第１の実施の形態による紙幣情報リストを示す略線図である。
【図５】紙幣のカテゴリとその意味を示す略線図である。
【図６】第１の実施の形態による搬送先決定テーブルを示す略線図である。
【図７】入金処理手順を示すフローチャートである。
【図８】第１の実施の形態による紙幣搬送処理手順を示すフローチャートである。
【図９】紙幣詰まり対応処理手順を示すフローチャートである。
【図１０】第２の実施の形態による紙幣情報リストを示す略線図である。
【図１１】第２の実施の形態による搬送先決定テーブルを示す略線図である。
【図１２】第３の実施の形態による紙幣情報リストを示す略線図である。
【図１３】第３の実施の形態による搬送先決定テーブルを示す略線図である。
【図１４】第３の実施の形態による紙幣搬送処理手順を示すフローチャートである。
【図１５】第４の実施の形態による紙幣情報リストを示す略線図である。
【図１６】第４の実施の形態による搬送先決定テーブルを示す略線図である。
【図１７】第４の実施の形態による紙幣搬送処理手順を示すフローチャートである。
【発明を実施するための形態】
【００１６】
以下、発明を実施するための形態（以下実施の形態とする）について、図面を用いて説明する。
【００１７】
［１．第１の実施の形態］
［１−１．現金自動預払機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００１８】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００１９】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、利用者が入金する紙幣が投入されると共に、利用者へ出金する紙幣が排出される部分である。
【００２０】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００２１】
筐体２内には、現金自動預払機１全体を統括制御する主制御部９や、紙幣に関する種々の処理を行う紙幣入出金機１０等が設けられている。
【００２２】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２３】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、取忘収納庫１８及び偽券収納庫１９が設けられている。
【００２４】
また紙幣入出金機１０が取り扱う紙幣には、記番号が付されている。この記番号は、各紙幣に一意に割り当てられた識別符号であり、複数の文字や記号の組み合わせで構成されている。この記番号は、個別の紙幣を特定する場合等に利用される。
【００２５】
紙幣制御部１１は、図３に現金自動預払機１全体を含む紙幣入出金機１０のブロック構成を示すように、主制御部９と連携しながら、当該紙幣入出金機１０を統括的に制御する。紙幣制御部１１は、主制御部９と同様、図示しないＣＰＵを中心に構成されており、所定のプログラムを実行することにより、入金処理や出金処理等、種々の処理を行う。
【００２６】
また紙幣制御部１１は、内部にＲＡＭ及びフラッシュメモリ等でなる記憶部１１Ｍを有しており、この記憶部１１Ｍに入金プログラム等の各種プログラムや種々の情報を記憶させている。また記憶部１１Ｍは、既に知られている偽券の記番号が格納された偽券記番号リスト（図示せず）を予め記憶している。さらに記憶部１１Ｍは、入金された紙幣に関する情報を格納する紙幣情報リスト（詳しくは後述する）も記憶している。
【００２７】
入出金部１２（図２）は、上方が開放された箱状の収容器１２Ａを中心に構成されている。収容器１２Ａは、利用者へ受け渡すべき紙幣又は利用者から受け渡される紙幣を前後方向に沿って整列した状態で収容する。この収容器１２Ａの上方には、開閉可能なシャッタ１２Ｂが設けられている。また入出金部１２は、収容器１２Ａ内に収容されている紙幣を１枚ずつに分離して搬送部１３に受け渡す分離部（図示せず）も有している。
【００２８】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００２９】
また搬送部１３には、搬送経路上における種々の箇所に検出部１３Ｓが配置されている。検出部１３Ｓは、所定の検出光を発光する発光部と当該検出光を受光する受光部とが当該搬送経路を挟んで互いに対向するように配置されており、受光部による検出光の受光状態を表す検出結果を紙幣制御部１１へ通知する。
【００３０】
紙幣制御部１１は、検出部１３Ｓからの検出結果を基に、検出光が紙幣により遮光されたか否か、及びその遮光された時間等を認識する。そのうえで紙幣制御部１１は、搬送部１３の検出部１３Ｓが配置された箇所において、紙幣が正常に搬送されていることや詰まりを発生させていること等を判断する。すなわち紙幣制御部１１は、検出部１３Ｓからの検出結果を基に、紙幣の搬送状態を認識することができる。
【００３１】
鑑別部１４は、内部に光学センサ、イメージセンサや磁気センサ等の各種センサを有しており、その内部で紙幣を搬送しながら、各センサによる鑑別結果を得て紙幣制御部１１へ供給する。これに応じて紙幣制御部１１は、当該紙幣について、金種を判別し、正当な紙幣（いわゆる正券）又は偽造された紙幣（いわゆる偽造券若しくは偽券）の何れであるかを判定し、さらに損傷の程度等を判別した上で、その搬送先を決定する（詳しくは後述する）。
【００３２】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。因みに一時保留部１５は、最大で例えば２００枚の紙幣を収納することができる。また一時保留部１５は、紙幣制御部１１の制御により、紙幣を収納し又は繰り出す際における搬送速度を変化させ得るようになっている。
【００３３】
紙幣収納庫１６（１６Ａ、１６Ｂ、１６Ｃ及び１６Ｄ）は、内部に多数の紙幣を集積して収納する。この紙幣収納庫１６は、例えば入金取引において、鑑別部１４において損傷の程度が小さく再利用可能と鑑別された紙幣が金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３４】
リジェクト庫１７は、鑑別部１４において損傷の程度が大きく再利用すべきでないと鑑別された紙幣（いわゆるリジェクト紙幣）を収納する。取忘収納庫１８は、利用者が入出金部１２から取り忘れた紙幣を収納する。偽券収納庫１９は、鑑別部１４の鑑別結果を基に偽券と判別された紙幣（すなわち偽券）を収納する。
【００３５】
［１−２．紙幣情報リストの構成］
ところで紙幣制御部１１の記憶部１１Ｍは、図４に示す紙幣情報リストＬ１を記憶している。この紙幣情報リストＬ１は、入金された各紙幣についての情報を格納するようになっており、入出金部１２から取り込まれた順序を表す順序欄、紙幣のカテゴリを表す第１カテゴリ欄及び第２カテゴリ欄、並びに記番号を表す記番号欄といった複数の欄が設けられている。
【００３６】
ここで紙幣のカテゴリとは、紙幣の状態を真偽や再利用の可能性に応じて分類したものであり、紙幣入出金機１０内における紙幣の搬送先を決定する際の指標となるものである。具体的にカテゴリは、図５に示すように「Ｃ４ａ」、「Ｃ４ｂ」、「Ｃ３」、「Ｃ２」及び「Ｃ１」の５種類となっており、それぞれの意味が「再利用可能なもの」、「再利用不可能なもの」、「偽造券の疑いがあるもの」、「偽造券」及び「紙幣とは認められないもの」となっている。
【００３７】
紙幣情報リストＬ１（図４）の第１カテゴリ欄は、入出金部１２から取り込まれた紙幣が鑑別部１４において最初に鑑別された際に、紙幣制御部１１において決定されたカテゴリを表す「Ｃ４ａ」等のカテゴリ情報が格納される。また第２カテゴリ欄は、第１カテゴリ欄にカテゴリ情報が格納された際、これと同じカテゴリ情報が初期値として格納され、その後に紙幣のカテゴリが更新された場合に、更新後のカテゴリを表すカテゴリ情報に更新される。すなわち第２カテゴリ欄には、各紙幣についての最新のカテゴリを表すカテゴリ情報が格納される。なお以下では、説明の都合上、第１カテゴリ欄及び第２カテゴリ欄にそれぞれ格納されているカテゴリ情報を、第１カテゴリ情報及び第２カテゴリ情報とも呼ぶ。
【００３８】
また記番号欄には、鑑別部１４のイメージセンサから得られた画像に対し所定の文字認識処理を行うことにより得られた記番号が、記番号情報として格納される。ただしこの第１の実施の形態では、偽造券と判断された紙幣についてのみ、区別情報としての記番号情報が格納され、正券と判断された紙幣については空欄のままとされる。
【００３９】
［１−３．紙幣制御部の機能構成］
紙幣制御部１１（図３）は、記憶部１１Ｍに加えて、後述する入金処理プログラムを実行することにより、カテゴリ決定部１１Ｄ、カテゴリ更新部１１Ｕ及び搬送制御部１１Ｃといった複数の機能ブロックが内部に形成される。
【００４０】
このうちカテゴリ決定部１１Ｄは、鑑別部１４から得られる紙幣の鑑別結果や読み取った記番号等を基に、当該紙幣の金種及び真偽、並びに損傷の程度等を判定した上で、当該紙幣のカテゴリを決定する。さらにカテゴリ決定部１１Ｄは、このように決定したカテゴリを表すカテゴリ情報を、紙幣情報リストＬ１（図４）の第１カテゴリ欄及び第２カテゴリ欄にそれぞれ格納する。
【００４１】
カテゴリ更新部１１Ｕは、カテゴリ決定部１１Ｄにおいてカテゴリを決定した後、入金処理を進める上で発生する様々な事象により紙幣のカテゴリを更新する必要が生じた際に、当該紙幣の新たなカテゴリを決定する。さらにカテゴリ更新部１１Ｕは、このように決定したカテゴリを表すカテゴリ情報を紙幣情報リストＬ１の第２カテゴリ欄に格納することで、第２カテゴリ情報を更新する。
【００４２】
これにより紙幣情報リストＬ１には、各紙幣について、最初に決定されたカテゴリを表す第１カテゴリ情報が第１カテゴリ欄に格納され、最新のカテゴリを表す第２カテゴリ情報が第２カテゴリ欄に格納される。
【００４３】
また記憶部１１Ｍには、図６（Ａ）及び（Ｂ）に示すように、搬送先決定メインテーブルＴ１Ｍ及び搬送先決定サブテーブルＴ１Ｓが予め記憶されている。なお説明の都合上、以下では搬送先決定メインテーブルＴ１Ｍ及び搬送先決定サブテーブルＴ１Ｓをまとめて搬送先決定テーブルＴ１とも呼ぶ。
【００４４】
搬送制御部１１Ｃは、紙幣の第１カテゴリがＣ２であり、且つ第２カテゴリ情報がＣ１である場合、搬送先決定サブテーブルＴ１Ｓ（図６（Ｂ））に従って当該紙幣の搬送先を決定する。すなわち搬送制御部１１Ｃは、紙幣の第１カテゴリ情報がＣ２であり、且つ第２カテゴリ情報がＣ１である場合、記番号情報の有無に応じて異なる搬送先に決定するようになっている。
【００４５】
また搬送制御部１１Ｃは、それ以外の場合、搬送先決定メインテーブルＴ１Ｍ（図６（Ａ））に従い、第１カテゴリ情報及び第２カテゴリ情報を基に紙幣の搬送先を決定する。そのうえで搬送制御部１１Ｃは、搬送部１３を制御することにより、決定した搬送先へ紙幣を搬送させる。
【００４６】
さらに搬送制御部１１Ｃは、一時保留部１５から紙幣を繰り出す際に、第２カテゴリ情報に格納されているカテゴリに基づいて当該一時保留部１５を制御するようになっている。具体的に搬送制御部１１Ｃは、第２カテゴリ情報が「Ｃ４ａ」、「Ｃ４ｂ」、「Ｃ３」又は「Ｃ２」であった場合、一時保留部１５から紙幣を比較的高速で繰り出して搬送部１３へ受け渡させることにより、紙幣の繰出処理をできるだけ短い時間で完了させる。
【００４７】
一方、搬送制御部１１Ｃは、第２カテゴリ情報が「Ｃ１」であった場合、一時保留部１５から紙幣を比較的低速で繰り出して搬送部１３へ受け渡させることにより、当該紙幣における搬送状態の改善を図る。例えば搬送制御部１１Ｃは、紙幣が２枚以上連なっている場合、搬送部１３との搬送速度の差分を利用して１枚ずつ分離を図り、また搬送方向に対して短辺が傾斜している場合、当該短辺を搬送方向に近づけるよう傾斜の補正を図る。
【００４８】
このように紙幣制御部１１は、紙幣情報リストＬ１（図４）に各紙幣のカテゴリ表すカテゴリ情報や記番号情報等を記憶させると共に、このカテゴリ情報を基に一時保留部１５における紙幣の繰出動作を制御し、さらに搬送部１３による各紙幣の搬送先を決定するようになっている。
【００４９】
［１−４．入金処理］
次に、紙幣入出金機１０における紙幣の入金処理について説明する。例えば現金自動預払機１は、利用者と取引処理を行い得る状態、いわゆる運用状態にあるとき、操作表示部６（図１）に所定のメニュー画面（図示せず）を表示した状態で利用者から各種取引処理を開始する操作指示を待ち受けている。
【００５０】
現金自動預払機１の主制御部９は、利用者から入金取引を開始する操作指示を受け付けると、紙幣入出金機１０の紙幣制御部１１に対し入金処理の開始を指示する。これに応じて紙幣制御部１１は、記憶部１１Ｍから所定の入金プログラムを読み出して実行することにより、図７に示す入金処理手順ＲＴ１を開始してステップＳＰ１へ移る。
【００５１】
ステップＳＰ１において紙幣制御部１１は、入出金部１２のシャッタ１２Ｂを開いて収容器１２Ａ内へ紙幣を投入させる。入出金部１２は、利用者により収容器１２Ａに紙幣が投入された上で、操作表示部６を介して取込開始の操作指示を受け付けると、シャッタ１２Ｂを閉塞して次のステップＳＰ２へ移る。
【００５２】
ステップＳＰ２において紙幣制御部１１は、入出金部１２の分離部（図示せず）により収容器１２Ａ内から１枚の紙幣を分離して搬送部１３に受け渡させ、当該搬送部１３により当該紙幣を鑑別部１４へ搬送させて、次のステップＳＰ３へ移る。
【００５３】
ステップＳＰ３において紙幣制御部１１は、鑑別部１４により紙幣を鑑別させてその鑑別結果や記番号等を取得し、次のステップＳＰ４へ移る。ステップＳＰ４において紙幣制御部１１は、取得した鑑別結果や記番号等を基に、紙幣の金種、真偽及び損傷の程度等を判定し、さらにカテゴリ決定部１１Ｄ（図３）により当該紙幣のカテゴリを決定して、次のステップＳＰ５へ移る。
【００５４】
ステップＳＰ５において紙幣制御部１１は、カテゴリ決定部１１Ｄにより決定したカテゴリを表すカテゴリ情報を、第１カテゴリ情報及び第２カテゴリ情報として紙幣情報リストＬ１（図４）に記憶させる。また紙幣制御部１１は、決定したカテゴリがＣ２（すなわち偽造券）であった場合、読み取った記番号を紙幣情報リストＬ１の記番号欄に記番号情報として格納して、次のステップＳＰ６へ移る。
【００５５】
ステップＳＰ６において紙幣制御部１１は、紙幣を一時保留部１５へ搬送させ、次のステップＳＰ７へ移る。ステップＳＰ７において紙幣制御部１１は、入出金部１２における収容器１２Ａ内の全ての紙幣を一時保留部１５へ搬送したか否かを判定する。ここで否定結果が得られると、紙幣制御部１１は、再度ステップＳＰ２へ戻って一連の処理を繰り返すことにより、収容器１２Ａ内の残りの紙幣を順次搬送してそのカテゴリ情報を記憶させていく。
【００５６】
一方、ステップＳＰ７において肯定結果が得られると、紙幣制御部１１は次のステップＳＰ８へ移り、入金された全紙幣の金種及び枚数を集計することにより入金額を算出し、操作表示部６（図１）に所定の確認画面を表示して次のステップＳＰ９へ移る。このとき確認画面には、算出された入金額が表示されると共に、利用者に対し、入金取引を継続するか否かを指示させる操作指示ボタンが表示される。
【００５７】
ステップＳＰ９において紙幣制御部１１は、利用者から入金取引を継続する指示を受け付けたか否かを判定する。ここで肯定結果が得られると、このことは一時保留部１５に収納している全ての紙幣を、そのカテゴリに応じて適切な搬送先へ搬送して収納するべきであることを表している。このとき紙幣制御部１１は、次のステップＳＰ１０へ移る。
【００５８】
ステップＳＰ１０において紙幣制御部１１は、搬送制御部１１Ｃにより、紙幣情報リストＬ１（図４）を参照した上で、一時保留部１５を制御して１枚の紙幣を繰り出させ、次のステップＳＰ１１へ移る。このとき搬送制御部１１Ｃは、紙幣情報リストＬ１の第２カテゴリ情報に基づいて一時保留部１５を制御することにより、当該カテゴリが「Ｃ１」であれば比較的低速に繰り出させ、それ以外であれば比較的高速に繰り出させる。
【００５９】
ステップＳＰ１１において紙幣制御部１１は、サブルーチンとして、図８に示す紙幣搬送処理手順ＲＴ２を開始し、ステップＳＰ２１へ移る。ステップＳＰ２１において紙幣制御部１１は、搬送制御部１１Ｃにより、紙幣情報リストＬ１（図４）を参照して、紙幣の第１カテゴリ情報がＣ２であり且つ第２カテゴリ情報がＣ１であるか否かを判定する。
【００６０】
このステップＳＰ２１において否定結果が得られると、紙幣制御部１１は次のステップＳＰ２２へ移る。ステップＳＰ２２において紙幣制御部１１は、搬送制御部１１Ｃにより、紙幣情報リストＬ１から得られた紙幣の第１カテゴリ情報及び第２カテゴリ情報を基に、搬送先決定メインテーブルＴ１Ｍ（図６（Ａ））に従って紙幣の搬送先を決定し、次のステップＳＰ２４へ移る。
【００６１】
因みにこのとき搬送先決定メインテーブルＴ１Ｍ（図６（Ａ））における「Ｃ４ａの搬送先」、「Ｃ４ｂの搬送先」、「Ｃ３の搬送先」、「Ｃ２の搬送先」及び「Ｃ１の搬送先」は、具体的にそれぞれ紙幣収納庫１６、リジェクト庫１７、偽券収納庫１９、偽券収納庫１９及びリジェクト庫１７となる。
【００６２】
一方、ステップＳＰ２１において肯定結果が得られると、紙幣制御部１１は次のステップＳＰ２３へ移る。ステップＳＰ２３において紙幣制御部１１は、搬送制御部１１Ｃにより、搬送先決定サブテーブルＴ１Ｓ（図６（Ｂ））に従って、紙幣情報リストＬ１における記番号の有無に応じて紙幣の搬送先を決定し、次のステップＳＰ２４へ移る。
【００６３】
ステップＳＰ２４において紙幣制御部１１は、搬送制御部１１Ｃによって搬送部１３を制御することにより、決定された搬送先へ紙幣を搬送させ、次のステップＳＰ２５へ移って紙幣搬送処理手順ＲＴ２を終了し、元の入金処理手順ＲＴ１（図７）へ戻ってステップＳＰ１２へ移る。
【００６４】
ステップＳＰ１２において紙幣制御部１１は、検出部１３Ｓからの検出結果を基に、搬送部１３において紙幣の詰まり等のような搬送状態の変化が発生したか否かを判定する。ここで肯定結果が得られると、紙幣制御部１１は次のステップＳＰ１３へ移ることにより、サブルーチンとして、図９に示す紙幣詰まり対応処理手順ＲＴ３を開始し、ステップＳＰ３１へ移る。
【００６５】
ステップＳＰ３１において紙幣制御部１１は、搬送部１３をそれまでと反対方向に進行させることにより紙幣を逆送させて詰まりの解消を図り、搬送中の紙幣を一時保留部１５へ搬送して収納させて、次のステップＳＰ３２へ移る。
【００６６】
ステップＳＰ３２において紙幣制御部１１は、カテゴリ更新部１１Ｕ（図３）により、一時保留部１５に収納した紙幣について、紙幣情報リストＬ１（図４）の第２カテゴリ情報を「Ｃ１」に更新し、次のステップＳＰ３３へ移る。これにより紙幣制御部１１は、当該紙幣が一時保留部１５から繰り出される際に、比較的低速で繰り出させ、搬送状態の改善を図ることができる。
【００６７】
ステップＳＰ３３において紙幣制御部１１は、紙幣の詰まりが発生した際に搬送部１３により搬送中であった全ての紙幣を一時保留部１５へ搬送したか否かを判定する。ここで否定結果が得られると、このことは搬送部１３に紙幣が残っていることを表している。このとき紙幣制御部１１は、ステップＳＰ３１へ戻って一連の処理を繰り返すことにより、残りの紙幣を一時保留部１５へ搬送すると共にその第２カテゴリ情報を更新する。
【００６８】
一方、ステップＳＰ３３において肯定結果が得られると、紙幣制御部１１は次のステップＳＰ３４へ移って紙幣詰まり対応処理手順ＲＴ３を終了し、元の入金処理手順ＲＴ１（図７）へ戻ってステップＳＰ１４へ移る。
【００６９】
ステップＳＰ１４において紙幣制御部１１は、一時保留部１５内に収納している全ての紙幣をそれぞれの搬送先へ搬送したか否かを判定する。ここで否定結果が得られると、紙幣制御部１１は、ステップＳＰ１０へ戻って一連の処理を繰り返すことにより、残りの紙幣についても一時保留部１５から繰り出してそれぞれの搬送先へ搬送する。
【００７０】
一方、ステップＳＰ１４において肯定結果が得られると、このことは一時保留部１５内の全ての紙幣をそれぞれの搬送先へ搬送し終えたことを表している。このとき紙幣制御部１１は、次のステップＳＰ２０へ移って入金処理手順ＲＴ１を終了する。
【００７１】
一方、ステップＳＰ９において否定結果が得られると、このことは利用者が入金取引の中断を希望しており、当初入出金部１２に投入され現在一時保留部１５に収納している紙幣を当該利用者に返却するべきであることを表している。このとき紙幣制御部１１は、次のステップＳＰ１５へ移る。
【００７２】
紙幣制御部１１は、ステップＳＰ１５〜ＳＰ１９において、ステップＳＰ１０〜ＳＰ１４とそれぞれ同様の処理を行う。ただしステップＳＰ１６において紙幣制御部１１は、紙幣搬送処理手順ＲＴ２（図８）を実行する際に、搬送先決定メインテーブルＴ１Ｍ（図６（Ａ））により示される搬送先が、ステップＳＰ１１の場合と一部相違する。
【００７３】
すなわちこのとき搬送先決定メインテーブルＴ１Ｍ（図６（Ａ））における「Ｃ４ａの搬送先」、「Ｃ４ｂの搬送先」、「Ｃ３の搬送先」、「Ｃ２の搬送先」及び「Ｃ１の搬送先」は、具体的にそれぞれ入出金部１２、入出金部１２、偽券収納庫１９、偽券収納庫１９及び入出金部１２となる。
【００７４】
またステップＳＰ１９において肯定結果が得られた場合、このことは一時保留部１５内の紙幣を入出金部１２又は偽券収納庫１９へ搬送し終えたことを表している。このとき紙幣制御部１１は、次のステップＳＰ２０へ移って入金処理手順ＲＴ１を終了する。
【００７５】
［１−５．動作及び効果］
以上の構成において、第１の実施の形態による現金自動預払機１の紙幣入出金機１０は、利用者との間で入金取引を行う場合、入出金部１２に投入された紙幣を搬送部１３により搬送して鑑別部１４により鑑別する。このとき紙幣入出金機１０は、得られた鑑別結果を基にカテゴリを決定し、これを基に紙幣情報リストＬ１（図４）に第１カテゴリ情報及び第２カテゴリ情報を格納して、さらにカテゴリがＣ２（偽造券）であった場合には記番号情報を格納した上で、紙幣を一時保留部１５へ搬送して収納する。
【００７６】
続いて紙幣入出金機１０は、利用者から入金取引の継続を指示された場合、一時保留部１５に収納している全ての紙幣について、紙幣情報リストＬ１の第１カテゴリ情報及び第２カテゴリ情報を基に搬送先決定テーブルＴ１（図６）に従って搬送先を決定し、それぞれ搬送する。
【００７７】
このとき紙幣入出金機１０は、搬送部１３による紙幣の搬送中に詰まりが発生した場合、当該紙幣を一時保留部１５へ戻すと共に、第２カテゴリ情報をＣ１に更新する。これにより紙幣入出金機１０は、当該紙幣を一時保留部１５から繰り出す際に、更新後のカテゴリがＣ１であることに応じて比較的低速に繰り出すことができ、紙幣の連なりや傾斜の修正、すなわち搬送状態の改善を図ることができる。
【００７８】
また紙幣入出金機１０は、紙幣搬送処理手順ＲＴ２（図８）に従って紙幣の搬送先を決定する際、第１カテゴリ情報及び第２カテゴリ情報の双方を用いることにより、鑑別部１４による最初の鑑別結果を有効に利用しながら、その後の詰まりの発生等にも対応することができ、各紙幣の搬送先を適切に決定することができる。
【００７９】
さらに紙幣入出金機１０は、紙幣の第１カテゴリ情報がＣ２であり且つ第２カテゴリ情報がＣ１である場合、搬送先決定サブテーブルＴ１Ｓ（図６（Ｂ））に従って、記番号情報の有無に応じて搬送先を決定する。
【００８０】
このため紙幣入出金機１０は、例えば紙幣が最初に鑑別部１４において偽造券と判断されてカテゴリがＣ２に決定され、その後の搬送中に詰まりが発生してカテゴリがＣ１に更新されたとしても、その搬送先を最初のカテゴリであるＣ２（偽造券）に応じた搬送先、すなわち偽券収納庫１９へ搬送できるので、他の正券と区別して収納することができる。
【００８１】
これに加えて紙幣入出金機１０は、当該紙幣を一時保留部１５から繰り出す際には、詰まりを生じた他の正券と同様に、更新後のカテゴリであるＣ１に応じた繰出動作を行わせることができるので、紙幣の連なりや傾斜の解消といった搬送状態の改善を図ることができる。
【００８２】
すなわち紙幣入出金機１０は、更新されたカテゴリに従って一時保留部１５からの紙幣の繰出動作を決定することで搬送状態の改善を図ることと、カテゴリ及び記番号の記録の有無により搬送先を決定することで詰まりの有無に拘わらず偽券を偽券収納庫１９へ搬送して収納することとを、矛盾無く両立させることができる。
【００８３】
また紙幣入出金機１０は、入金取引の途中で利用者から取引を中止する指示を受け、一時保留部１５内の紙幣を返却する場合にも、詰まりの発生の有無に拘わらず、偽券については偽券収納庫１９へ搬送して収納することができる。
【００８４】
以上の構成によれば、第１の実施の形態による現金自動預払機１の紙幣入出金機１０は、入金取引において、紙幣を入出金部１２から取り込んだ直後の鑑別結果を基にカテゴリを決定して紙幣情報リストＬ１に第１カテゴリ情報及び第２カテゴリ情報を記憶させ、さらに偽造券を表すＣ２の場合に記番号情報を記憶させる。紙幣入出金機１０は、搬送中に詰まりが発生した紙幣の第２カテゴリ情報をＣ１に更新することで、一時保留部１５から紙幣を比較的低速に繰り出して搬送状態の改善を図る。その一方で紙幣入出金機１０は、紙幣情報リストＬ１における第１カテゴリ情報、第２カテゴリ情報及び記番号情報を基に紙幣の搬送先を決定することで、カテゴリが最初にＣ２に設定され、その後にＣ１に更新されたとしても、Ｃ２に応じた搬送先である偽券収納庫１９へ搬送して、他の正券と区別することができる。
【００８５】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、紙幣制御部１１に代わる紙幣制御部１１１を有する点において相違するものの、他の点については同様に構成されている。
【００８６】
紙幣制御部１１１（図３）は、紙幣制御部１１と比較して、記憶部１１Ｍ、カテゴリ決定部１１Ｄ及び搬送制御部１１Ｃに代わる記憶部１１１Ｍ、カテゴリ決定部１１１Ｄ及び搬送制御部１１１Ｃを有する点において相違するものの、カテゴリ更新部１１Ｕについては同様に構成されている。
【００８７】
記憶部１１１Ｍは、第１の実施の形態による記憶部１１Ｍと比較して、搬送先決定メインテーブルＴ１Ｍ（図６（Ａ））を記憶している点において同様である一方、紙幣情報リストＬ１及び搬送先決定サブテーブルＴ１Ｓ（図６（Ｂ））に代えて、紙幣情報リストＬ２及び搬送先決定サブテーブルＴ２Ｓを記憶している点において相違する。
【００８８】
紙幣情報リストＬ２は、図４と対応する図１０に示すように、第１の実施の形態による紙幣情報リストＬ１の各項目に加えて、隔離欄が追加されている。この隔離欄は、各紙幣が他の紙幣から隔離する必要がある場合、具体的には偽券であるために偽券収納庫１９へ格納する必要がある場合に、隔離情報として「要隔離」の文字が格納される。
【００８９】
カテゴリ決定部１１１Ｄは、第１の実施の形態によるカテゴリ決定部１１Ｄと概ね同様の処理を行うものの、上述した隔離情報に関する部分が相違している。具体的にカテゴリ決定部１１１Ｄは、カテゴリをＣ２に決定した場合、紙幣情報リストＬ２の記番号欄に読み取った記番号を記番号情報として格納するが、紙幣から記番号を読み取れなかった場合、隔離欄に隔離情報を格納する。これを換言すれば、カテゴリ決定部１１１Ｄは、カテゴリをＣ２に決定した場合、紙幣情報リストＬ２に区別情報としての記番号情報又は隔離情報を記憶させるようになっている。
【００９０】
搬送制御部１１１Ｃは、第１の実施の形態による搬送制御部１１Ｃと概ね同様の処理を行うものの、搬送先決定サブテーブルＴ１Ｓ（図６（Ｂ））に代わる搬送先決定サブテーブルＴ２Ｓ（図１１）に従って紙幣の搬送先を決定するようになっている。
【００９１】
この紙幣入出金機１１０の紙幣制御部１１１は、入金処理において、第１の実施の形態と同様、入金処理手順ＲＴ１（図７）に従った処理を実行し、そのなかでサブルーチンとして紙幣搬送処理手順ＲＴ２（図８）及び紙幣詰まり対応処理手順ＲＴ３（図９）を実行する。
【００９２】
ただし紙幣制御部１１１は、各処理の実行に際し、紙幣情報リストＬ１に代えて紙幣情報リストＬ２を参照する。また紙幣制御部１１１は、入金処理手順ＲＴ１（図７）のステップＳＰ５において、カテゴリ決定部１１１Ｄにより、決定したカテゴリを基に紙幣情報リストＬ２（図１０）に第１カテゴリ情報及び第２カテゴリ情報を記憶させる。また紙幣制御部１１１は、決定したカテゴリがＣ２（すなわち偽造券）であった場合、紙幣の記番号を読み取っていれば記番号欄に記番号情報を記憶させ、読み取っていなければ隔離欄に隔離情報を記憶させる。
【００９３】
さらに紙幣制御部１１１は、紙幣搬送処理手順ＲＴ２（図８）のステップＳＰ２３において、搬送制御部１１１Ｃにより、搬送先決定サブテーブルＴ２Ｓ（図１１）に従って、紙幣情報リストＬ２における記番号情報又は隔離情報の有無に応じて紙幣の搬送先を決定し、次のステップＳＰ２４へ移る。
【００９４】
以上の構成において、第２の実施の形態による現金自動預払機１０１の紙幣入出金機１１０は、紙幣を最初に鑑別した際の鑑別結果に基づきカテゴリをＣ２（偽造券）に決定した場合、紙幣情報リストＬ２に対し、記番号を読み取っていれば記番号情報を記憶させ、読み取っていなければ隔離情報を記憶させた上で、紙幣を一時保留部１５へ搬送する。
【００９５】
紙幣入出金機１１０は、入金処理において紙幣の搬送先を決定する際に、紙幣の第１カテゴリ情報がＣ２であり且つ第２カテゴリ情報がＣ１である場合、搬送先決定サブテーブルＴ２Ｓ（図１１）に従って、記番号情報又は隔離情報の有無に応じて搬送先を決定する。
【００９６】
このため紙幣入出金機１１０は、紙幣のカテゴリが最初にＣ２（偽造券）に決定された場合、その後にＣ１等に更新されたとしても、記番号情報又は隔離情報が記憶されていることで、当該紙幣をＣ２の搬送先、すなわち偽券収納庫１９へ搬送して収納することができる。
【００９７】
特に紙幣入出金機１１０は、最初にカテゴリがＣ２に決定され、且つ記番号を読み取れなかった場合、紙幣情報リストＬ２の記番号欄に記番号情報を格納できない。このため紙幣入出金機１１０は、第１の実施の形態のように搬送先決定サブテーブルＴ１Ｓ（図６（Ｂ））に従った処理を行った場合、この紙幣をＣ１の搬送先へ搬送してしまい、他の正券と混在させる可能性があった。
【００９８】
この点において紙幣入出金機１１０は、搬送先決定サブテーブルＴ２Ｓ（図１１）に従い、記番号情報の有無に加えて隔離情報の有無も踏まえて搬送先を決定する。これにより紙幣入出金機１１０は、紙幣を最初に鑑別した際に記番号を読み取れたか否かに関わらず、カテゴリをＣ２に決定した紙幣について、その後に詰まりの発生等によりカテゴリが更新されたとしても、当初のカテゴリであるＣ２の搬送先へ搬送でき、他の正券と区別した状態で収納することができる。
【００９９】
その他の点においても、第２の実施の形態による紙幣入出金機１１０は、第１の実施の形態による紙幣入出金機１０と同様の作用効果を奏し得る。
【０１００】
以上の構成によれば、第２の実施の形態による現金自動預払機１０１の紙幣入出金機１１０は、入金取引において、紙幣を入出金部１２から取り込んだ直後の鑑別結果を基にカテゴリを決定して紙幣情報リストＬ１に第１カテゴリ情報及び第２カテゴリ情報を記憶させ、偽造券を表すＣ２の場合に、紙幣情報リストＬ２に記番号情報又は隔離情報を記憶させる。紙幣入出金機１１０は、搬送中に詰まりが発生した紙幣のカテゴリをＣ１に更新することで、一時保留部１５から比較的低速に繰り出して搬送状態の改善を図る。その一方で紙幣入出金機１１０は、紙幣情報リストＬ２における第１カテゴリ情報及び第２カテゴリ情報に加えて記番号情報及び隔離情報を基に紙幣の搬送先を決定することで、カテゴリが最初にＣ２に決定され、その後にＣ１に更新されたとしても、記番号を読み取れたか否かに拘わらず、Ｃ２に応じた搬送先へ搬送して他の正券と区別することができる。
【０１０１】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２）は、第１の実施の形態による紙幣入出金機１０と比較して、紙幣制御部１１に代わる紙幣制御部２１１を有する点において相違するものの、他の点については同様に構成されている。
【０１０２】
紙幣制御部２１１（図３）は、紙幣制御部１１と比較して、記憶部１１Ｍ、カテゴリ決定部１１Ｄ及び搬送制御部１１Ｃに代わる記憶部２１１Ｍ、カテゴリ決定部２１１Ｄ及び搬送制御部２１１Ｃを有する点において相違するものの、カテゴリ更新部１１Ｕについては同様に構成されている。
【０１０３】
記憶部２１１Ｍは、紙幣情報リストＬ１に代わる紙幣情報リストＬ３を記憶すると共に、搬送先決定メインテーブルＴ１Ｍ及び搬送先決定サブテーブルＴ１Ｓ（図６）に代わる搬送先決定テーブルＴ３を記憶している。
【０１０４】
紙幣情報リストＬ３は、図４及び図１０と対応する図１２に示すように、第１の実施の形態による紙幣情報リストＬ１と比較して、記番号欄に代えて隔離欄が追加されている。他の観点から見れば、紙幣情報リストＬ３は、第２の実施の形態による紙幣情報リストＬ２と比較して、記番号欄が省略されている。
【０１０５】
カテゴリ決定部２１１Ｄは、第１の実施の形態によるカテゴリ決定部１１Ｄと概ね同様の処理を行うものの、カテゴリをＣ２に決定した場合、記番号を用いず、隔離欄に隔離情報として「要隔離」の文字列を格納するようになっている。
【０１０６】
搬送制御部２１１Ｃは、第１の実施の形態による搬送制御部１１Ｃと概ね同様の処理を行うものの、搬送先決定メインテーブルＴ１Ｍ及び搬送先決定サブテーブルＴ１Ｓ（図６）に代わる搬送先決定テーブルＴ３（図１３）と、上述した隔離情報の有無とに従って、紙幣の搬送先を決定する。この搬送先決定テーブルＴ３は、搬送先決定メインテーブルＴ１Ｍ（図６（Ａ））と比較して、第１カテゴリにおけるＣ２の列が省略された構成となっている。
【０１０７】
この紙幣入出金機２１０の紙幣制御部２１１は、入金処理において、第１の実施の形態と同様、入金処理手順ＲＴ１（図７）に従った処理を実行し、そのなかでサブルーチンとして紙幣搬送処理手順ＲＴ２に代わる紙幣搬送処理手順ＲＴ４と、紙幣詰まり対応処理手順ＲＴ３（図９）とを実行する。
【０１０８】
ただし紙幣制御部２１１は、各処理の実行に際し、紙幣情報リストＬ１に代えて紙幣情報リストＬ３（図１２）を参照する。また紙幣制御部２１１は、入金処理手順ＲＴ１（図７）のステップＳＰ５において、カテゴリ決定部２１１Ｄにより、決定したカテゴリを基に紙幣情報リストＬ３に第１カテゴリ情報及び第２カテゴリ情報を記憶させる。また紙幣制御部１１１は、決定したカテゴリがＣ２（すなわち偽造券）であった場合、隔離欄に区別情報としての隔離情報を記憶させる。
【０１０９】
また紙幣制御部２１１は、ステップＳＰ１１及びＳＰ１６において、サブルーチンとして、図８と対応する図１４に示す紙幣搬送処理手順ＲＴ４を開始し、ステップＳＰ４１へ移る。ステップＳＰ４１において紙幣制御部２１１は、搬送制御部２１１Ｃにより、紙幣情報リストＬ３（図１２）を参照して、紙幣の隔離情報があるか否かを判定する。
【０１１０】
ここで否定結果が得られると、このことは紙幣が最初に鑑別された際に決定されたカテゴリがＣ２（偽造券）以外であるため、当該紙幣の搬送先を偽券収納庫１９（図２）とする必要が無いことを表している。このとき紙幣制御部２１１は、次のステップＳＰ４２へ移る。
【０１１１】
ステップＳＰ４２において紙幣制御部２１１は、搬送制御部２１１Ｃにより、紙幣情報リストＬ３から得られた紙幣の第１カテゴリ情報及び第２カテゴリ情報を基に、搬送先決定テーブルＴ３（図１３）に従って紙幣の搬送先を決定し、次のステップＳＰ４４へ移る。
【０１１２】
一方、ステップＳＰ４１において肯定結果が得られると、このことは紙幣が最初に鑑別された際に決定されたカテゴリがＣ２（偽造券）であるため、その後にカテゴリが変更されていたとしても、当該紙幣を他の正券と区別して収納する必要があることを表している。このとき紙幣制御部２１１は、次のステップＳＰ４３へ移る。
【０１１３】
ステップＳＰ４３において紙幣制御部２１１は、搬送制御部２１１Ｃにより、紙幣情報リストＬ３の第２カテゴリ情報に拘わらず、紙幣の搬送先をＣ２（偽造券）の搬送先、すなわち偽券収納庫１９に決定し、次のステップＳＰ４４へ移る。
【０１１４】
ステップＳＰ４４において紙幣制御部２１１は、搬送制御部２１１Ｃによって搬送部１３を制御することにより、決定された搬送先へ紙幣を搬送させ、次のステップＳＰ４５へ移って紙幣搬送処理手順ＲＴ４を終了し、元の入金処理手順ＲＴ１（図７）へ戻る。
【０１１５】
以上の構成において、第３の実施の形態による現金自動預払機２０１の紙幣入出金機２１０は、紙幣を最初に鑑別した際の鑑別結果に基づいてカテゴリをＣ２（偽造券）に決定した場合、紙幣情報リストＬ３に隔離情報を記憶させた上で、紙幣を一時保留部１５へ搬送する。
【０１１６】
紙幣入出金機２１０は、紙幣に詰まりが発生した場合、第２カテゴリ情報をＣ１に更新することにより、第１の実施の形態と同様、当該紙幣を一時保留部１５から繰り出す際に、更新後のカテゴリがＣ１であることに応じて比較的低速に繰り出すことができ、紙幣の連なりや傾斜の修正、すなわち搬送状態の改善を図ることができる。
【０１１７】
そのうえ紙幣入出金機２１０は、入金処理において紙幣の搬送先を決定する際に、まず隔離情報の有無を確認し、隔離情報があればＣ２の搬送先に決定し、隔離情報が無ければ第１カテゴリ情報及び第２カテゴリ情報を基に搬送先決定テーブルＴ３（図１３）に従って搬送先を決定する。
【０１１８】
このため紙幣入出金機２１０は、最初の鑑別処理において紙幣のカテゴリがＣ２（偽造券）に決定された場合、その後にＣ１等に更新されたとしても、隔離情報が記憶されているため、第２の実施の形態と同様、記番号を読み取れたか否かに拘わらず、当該紙幣をＣ２の搬送先、すなわち偽券収納庫１９へ搬送して収納することができる。
【０１１９】
その他の点においても、第３の実施の形態による紙幣入出金機２１０は、第１の実施の形態による紙幣入出金機１０と同様の作用効果を奏し得る。
【０１２０】
以上の構成によれば、第３の実施の形態による現金自動預払機２０１の紙幣入出金機２１０は、入金取引において、紙幣を入出金部１２から取り込んだ直後の鑑別結果を基にカテゴリを決定して紙幣情報リストＬ３に第１カテゴリ情報及び第２カテゴリ情報を記憶させ、偽造券を表すＣ２の場合に、紙幣情報リストＬ２に隔離情報を記憶させる。紙幣入出金機２１０は、搬送中に詰まりが発生した紙幣のカテゴリをＣ１に更新することで、一時保留部１５から比較的低速に繰り出して搬送状態の改善を図る。その一方で紙幣入出金機２１０は、紙幣情報リストＬ３における第１カテゴリ情報及び第２カテゴリ情報に加えて隔離情報を基に紙幣の搬送先を決定することで、カテゴリが最初にＣ２に決定され、その後にＣ１に更新されたとしても、Ｃ２に応じた搬送先へ搬送して他の正券と区別することができる。
【０１２１】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０（図２）は、第１の実施の形態による紙幣入出金機１０と比較して、紙幣制御部１１に代わる紙幣制御部３１１を有する点において相違するものの、他の点については同様に構成されている。
【０１２２】
紙幣制御部３１１（図３）は、紙幣制御部１１における記憶部１１Ｍ、カテゴリ決定部１１Ｄ、カテゴリ更新部１１Ｕ及び搬送制御部１１Ｃに代えて、記憶部３１１Ｍ、カテゴリ決定部３１１Ｄ、カテゴリ更新部３１１Ｕ及び搬送制御部３１１Ｃを有している。
【０１２３】
記憶部３１１Ｍは、紙幣情報リストＬ１に代わる紙幣情報リストＬ４を記憶すると共に、搬送先決定メインテーブルＴ１Ｍ及び搬送先決定サブテーブルＴ１Ｓ（図６）に代わる搬送先決定テーブルＴ４を記憶している。
【０１２４】
紙幣情報リストＬ４は、図４、図１０及び図１２と対応する図１５に示すように、第１の実施の形態による紙幣情報リストＬ１と比較して、記番号欄に代えて詰まり欄が追加されている。この詰まり欄は、紙幣の搬送中に詰まりが発生した場合、詰まり情報として「あり」の文字列が格納される。
【０１２５】
カテゴリ決定部３１１Ｄは、第１の実施の形態によるカテゴリ決定部１１Ｄと概ね同様の処理を行うものの、カテゴリをＣ２に決定した場合であっても、他のカテゴリに決定した場合と同様、カテゴリ情報のみを記憶させる。
【０１２６】
カテゴリ更新部３１１Ｕは、第１の実施の形態によるカテゴリ更新部１１Ｕと概ね同様の処理を行うものの、紙幣の詰まりが発生した場合、紙幣情報リストＬ４に搬送状態変化情報としての詰まり情報を記憶させる。
【０１２７】
搬送制御部３１１Ｃは、第１の実施の形態による搬送制御部１１Ｃと概ね同様の処理を行うものの、搬送先決定メインテーブルＴ１Ｍ及び搬送先決定サブテーブルＴ１Ｓ（図６）に代わる搬送先決定テーブルＴ４（図１６）に従って紙幣の搬送先を決定する。また搬送制御部３１１Ｃは、一時保留部１５から紙幣を繰り出させる際、第２カテゴリ情報に加えて、詰まり情報も参照して繰出動作を行わせるようになっている。
【０１２８】
この紙幣入出金機３１０の紙幣制御部３１１は、入金処理において、第１の実施の形態と同様、入金処理手順ＲＴ１（図７）に従った処理を実行し、そのなかでサブルーチンとして紙幣搬送処理手順ＲＴ２に代わる紙幣搬送処理手順ＲＴ５と、紙幣詰まり対応処理手順ＲＴ３（図９）とを実行する。
【０１２９】
ただし紙幣制御部３１１は、各処理の実行に際し、紙幣情報リストＬ１に代えて紙幣情報リストＬ４（図１５）を参照する。また紙幣制御部３１１は、入金処理手順ＲＴ１（図７）のステップＳＰ５において、カテゴリ決定部３１１Ｄにより、決定したカテゴリを基に紙幣情報リストＬ４に第１カテゴリ情報及び第２カテゴリ情報を記憶させる。
【０１３０】
また紙幣制御部３１１は、ステップＳＰ１０において、搬送制御部３１１Ｃにより、紙幣情報リストＬ４（図１５）を参照した上で、一時保留部１５を制御して１枚の紙幣を繰り出させる。このとき搬送制御部３１１Ｃは、一時保留部１５を制御することにより、紙幣情報リストＬ４に詰まり情報が記憶されていれば比較的低速に繰り出させ、それ以外であれば比較的高速に繰り出させる。
【０１３１】
さらに紙幣制御部３１１は、ステップＳＰ１１において、サブルーチンとして、図８と対応する図１７に示す紙幣搬送処理手順ＲＴ５を開始し、ステップＳＰ５１へ移る。ステップＳＰ５１において紙幣制御部３１１は、搬送制御部３１１Ｃにより、紙幣情報リストＬ４（図１５）に格納されている紙幣のカテゴリ情報を基に、搬送先決定テーブルＴ４（図１６）に従って紙幣の搬送先を決定し、次のステップＳＰ５２へ移る。このとき紙幣制御部３１１は、紙幣情報リストＬ４の詰まり情報を特に利用しない。
【０１３２】
ステップＳＰ５２において紙幣制御部３１１は、搬送制御部３１１Ｃによって搬送部１３を制御することにより、決定された搬送先へ紙幣を搬送させ、次のステップＳＰ５３へ移って紙幣搬送処理手順ＲＴ５を終了し、元の入金処理手順ＲＴ１（図７）へ戻る。
【０１３３】
また紙幣制御部３１１は、紙幣詰まり対応処理手順ＲＴ３（図９）のステップＳＰ３２において、カテゴリ更新部３１１Ｕ（図３）により、一時保留部１５に収納した紙幣について、紙幣情報リストＬ４（図１５）の第２カテゴリ情報を更新せずに詰まり情報を記憶させる。
【０１３４】
以上の構成において、第４の実施の形態による現金自動預払機３０１の紙幣入出金機３１０は、紙幣を最初に鑑別した際の鑑別結果に基づいてカテゴリを決定して第１カテゴリ情報及び第２カテゴリ情報として記憶させた上で、紙幣を一時保留部１５へ搬送する。
【０１３５】
紙幣入出金機３１０は、紙幣に詰まりが発生した場合、紙幣情報リストＬ４に詰まり情報を記憶させる。これにより紙幣入出金機３１０は、紙幣を一時保留部１５から繰り出す際に、詰まり情報が記憶されていることに応じて比較的低速に繰り出すことができ、紙幣の連なりや傾斜の修正、すなわち搬送状態の改善を図ることができる。
【０１３６】
そのうえ紙幣入出金機３１０は、入金処理において紙幣の搬送先を決定する際に、第１カテゴリ情報及び第２カテゴリ情報を基に搬送先決定テーブルＴ４（図１６）に従って搬送先を決定する。
【０１３７】
このように紙幣入出金機３１０は、紙幣を一時保留部１５から繰り出す際の繰出動作を制御するための詰まり情報と、紙幣の搬送先を決定するためのカテゴリ情報とを、互いに影響を及ぼすこと無く、独立して取り扱うことができる。
【０１３８】
すなわち紙幣入出金機３１０は、紙幣の搬送中に詰まりが発生したとしても、最初に決定されたカテゴリ情報を更新しない。このため紙幣入出金機３１０は、第２の実施の形態と同様、最初にカテゴリがＣ２に決定された紙幣を、その記番号を読み取れたか否かに拘わらず、Ｃ２の搬送先、すなわち偽券収納庫１９へ搬送して収納することができる。
【０１３９】
その他の点においても、第４の実施の形態による紙幣入出金機３１０は、第１の実施の形態による紙幣入出金機１０と同様の作用効果を奏し得る。
【０１４０】
以上の構成によれば、第４の実施の形態による現金自動預払機３０１の紙幣入出金機３１０は、入金取引において、紙幣を入出金部１２から取り込んだ直後の鑑別結果を基にカテゴリを決定して紙幣情報リストＬ４に第１カテゴリ情報及び第２カテゴリ情報を記憶させる。紙幣入出金機３１０は、紙幣の搬送中に詰まりが発生した場合、紙幣情報リストＬ４に詰まり情報を記憶させることで、一時保留部１５から比較的低速に繰り出して搬送状態の改善を図る。その一方で紙幣入出金機３１０は、紙幣情報リストＬ４における第１カテゴリ情報及び第２カテゴリ情報を基に紙幣の搬送先を決定することで、カテゴリが最初にＣ２に決定された紙幣を、このＣ２に応じた搬送先へ搬送して他の正券と区別することができる。
【０１４１】
［５．他の実施の形態］
なお上述した第１の実施の形態においては、紙幣情報リストＬ１における記番号情報の有無に応じて紙幣の搬送先を決定し、第３の実施の形態においては紙幣情報リストＬ３における隔離情報の有無に応じて紙幣の搬送先を決定する場合について述べた。
【０１４２】
しかしながら本発明はこれに限らず、例えば鑑別部１４において複数回鑑別されたうちの少なくとも１回はＣ２（偽造券）と鑑別されたことを表す偽造券情報を紙幣情報リストに記憶させるようにし、この偽造券情報を基に紙幣の搬送先を決定しても良い。要は、紙幣情報リストにおいて紙幣と対応付けて記憶されている種々の情報を基に、当該紙幣の搬送先を決定することで、１回はＣ２（偽造券）と鑑別された紙幣を他の正券と区別して偽券収納庫１９へ搬送して収納させることができれば良い。
【０１４３】
また上述した第１の実施の形態においては、搬送制御部１１Ｃにより、一時保留部１５からの紙幣の繰出動作を、第２カテゴリ情報に応じて変化させ、特にＣ１である場合に比較的低速で繰り出させる場合について述べた。
【０１４４】
しかしながら本発明はこれに限らず、例えば一時保留部１５からの紙幣の繰出動作を、第２カテゴリ情報に拘わらず、常に一定としても良い。この場合、詰まりが発生した紙幣のうち、最初の鑑別結果によりカテゴリがＣ２（偽造券）に決定されたもの以外については、カテゴリがＣ１に更新されることで、入出金部１２へ搬送して利用者に返却することができる。第２〜第４の実施の形態についても同様である。
【０１４５】
さらに上述した第１の実施の形態においては、検出部１３から得られる鑑別結果を基に紙幣制御部１１において搬送路上における紙幣の詰まりの発生を検出し、当該紙幣の第２カテゴリ情報をＣ１に更新する場合について述べた。
【０１４６】
しかしながら本発明はこれに限らず、例えば検出部１３から得られる鑑別結果を基に紙幣制御部１１において２枚以上の紙幣の連なりや搬送方向に対する大幅な傾斜等を検出した場合等、紙幣の搬送状態が変化したことを間出した場合に、当該紙幣の第２カテゴリ情報をＣ１に更新しても良い。第２〜第４の実施の形態についても同様である。
【０１４７】
さらに上述した第４の実施の形態においては、紙幣の詰まりが発生した場合に紙幣情報リストＬ４に詰まり情報を記憶させ、紙幣の搬送先を決定する場合に、第１カテゴリ情報及び第２カテゴリ情報に基づき搬送先決定テーブルＴ４に従って搬送先を決定する場合について述べた。
【０１４８】
しかしながら本発明はこれに限らず、例えば紙幣情報リストＬ４から第２カテゴリの欄を省略し、紙幣の詰まりが発生した場合に紙幣情報リストＬ４に詰まり情報を記憶させるのみとし、第１カテゴリ情報のみに基づいて紙幣の搬送先を決定しても良い。
【０１４９】
さらに上述した第１の実施の形態においては、紙幣入出金機１０の紙幣制御部１１により入金処理を実行する場合について述べた。しかしながら本発明はこれに限らず、例えば主制御部９単独又は当該主制御部９及び紙幣制御部１１の協働により入金処理を実行しても良い。この場合、紙幣情報リストＬ１については、紙幣制御部１１の記憶部１１Ｍに限らず、主制御部９の記憶部９Ｍに記憶させても良い。第２〜第４の実施の形態についても同様である。
【０１５０】
さらに上述した第１の実施の形態においては、利用者との間で媒体としての紙幣を取引する現金自動預払機１に本発明を適用した場合について述べた。しかしながら本発明はこれに限らず、例えば金融機関の窓口に設置され紙幣の入金処理や出金処理を行う装置（いわゆるテラーマシン）、両替機や自動販売機、さらには各種金券や証券等であって一意の識別符号が付された種々の媒体を利用者との間で取引する種々の装置に本発明を適用しても良い。第２〜第４の実施の形態についても同様である。
【０１５１】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５２】
さらに上述した第１の実施の形態においては、搬送部としての搬送部１３と、鑑別部としての鑑別部１４と、判定部としてのカテゴリ決定部１１Ｄと、記憶部としての記憶部１１Ｍと、一時保留部としての一時保留部１５と、偽造媒体収納庫としての偽券収納庫１９と、検出部としての検出部１３Ｓと、更新部としてのカテゴリ更新部１１Ｕと、搬送制御部としての搬送制御部１１Ｃとによって媒体処理装置としての紙幣入出金機１０を構成する場合について述べた。
【０１５３】
しかしながら本発明はこれに限らず、その他種々の構成でなる搬送部と、鑑別部と、判定部と、記憶部と、一時保留部と、偽造媒体収納庫と、検出部と、更新部と、搬送制御部とによって媒体処理装置を構成しても良い。
【０１５４】
さらに上述した第１の実施の形態においては、媒体投入部としての入出金口５及び入出金部１２と、搬送部としての搬送部１３と、鑑別部としての鑑別部１４と、判定部としてのカテゴリ決定部１１Ｄと、記憶部としての記憶部１１Ｍと、一時保留部としての一時保留部１５と、偽造媒体収納庫としての偽券収納庫１９と、検出部としての検出部１３Ｓと、更新部としてのカテゴリ更新部１１Ｕと、搬送制御部としての搬送制御部１１Ｃとによって媒体取引装置としての現金自動預払機１を構成する場合について述べた。
【０１５５】
しかしながら本発明はこれに限らず、その他種々の構成でなる媒体投入部と、搬送部と、鑑別部と、判定部と、記憶部と、一時保留部と、偽造媒体収納庫と、検出部と、更新部と、搬送制御部とによって媒体取引装置を構成しても良い。
【産業上の利用可能性】
【０１５６】
本発明は、例えば利用者との間で紙幣を介した取引処理を行う現金自動預払機でも利用できる。
【符号の説明】
【０１５７】
１、１０１、２０１、３０１……現金自動預払機、９……主制御部、９Ｍ……記憶部、１０、１１０、２１０、３１０……紙幣入出金機、１１、１１１、２１１、３１１……紙幣制御部、１１Ｃ、１１１Ｃ、２１１Ｃ、３１１Ｃ……搬送制御部、１１Ｄ、１１１Ｄ、２１１Ｄ、３１１Ｄ……カテゴリ決定部、１１Ｍ、１１１Ｍ、２１１Ｍ、３１１Ｍ……記憶部、１１Ｕ、３１１Ｕ……カテゴリ更新部、１２……入出金部、１３……搬送部、１３Ｓ……検出部、１４……鑑別部、１５……一時保留部、１６……紙幣収納庫、１９……偽券収納庫、Ｌ１、Ｌ２、Ｌ３、Ｌ４……紙幣情報リスト、Ｔ１、Ｔ３、Ｔ４……搬送先決定テーブル、Ｔ１Ｍ……搬送先決定メインテーブル、Ｔ１Ｓ、Ｔ２Ｓ……搬送先決定サブテーブル。
【図１】
0006330504.tif 000002
【図２】
0006330504.tif 000003
【図３】
0006330504.tif 000004
【図４】
0006330504.tif 000005
【図５】
0006330504.tif 000006
【図６】
0006330504.tif 000007
【図７】
0006330504.tif 000008
【図８】
0006330504.tif 000009
【図９】
0006330504.tif 000010
【図１０】
0006330504.tif 000011
【図１１】
0006330504.tif 000012
【図１２】
0006330504.tif 000013
【図１３】
0006330504.tif 000014
【図１４】
0006330504.tif 000015
【図１５】
0006330504.tif 000016
【図１６】
0006330504.tif 000017
【図１７】
0006330504.tif 000018